(57)【特許請求の範囲】
【請求項１】
装置の電源である電池電圧を検出し、その電池が所定電圧以下であれば定常電圧低下信号を出力する定常電圧検出手段と、前記定常電圧低下信号により作動するタイマカウント部と、前記タイマカウント部からの所定期間毎のタイマ信号により擬似負荷を駆動させる擬似負荷駆動部と、前記擬似負荷駆動部を駆動すると同時に電池電圧を検出し所定電圧以下であれば駆動電圧低下信号を出力する駆動電圧検出手段と、前記駆動電圧低下信号により報知信号を出力する制御部と、前記報知信号により報知装置を作動させる報知手段とを備えたガス遮断装置。
【請求項２】
定常電圧検出手段に代えて所定使用日数を経過した後に所定期間毎にタイマカウント部を作動するカレンダ部を設けた請求項１記載のガス遮断装置。
【請求項３】
定常電圧検出手段とタイマカウント部に代えて外部からのボンベ交換信号毎に駆動電圧検出手段を動作させるボンベＳＷ検出部を設けた請求項１記載のガス遮断装置。
【請求項４】
定常電圧検出手段とタイマカウント部に代えて検針値要求毎に駆動電圧検出手段を動作させる検針値受信手段を設けた請求項１記載のガス遮断装置。
【発明の詳細な説明】
【０００１】
【発明の属する技術分野】
本発明は、ガスの事故を未然に防ぐガス遮断装置に関するものである。
【０００２】
【従来の技術】
従来のこの種のガス遮断装置の一例について以下に説明する。図５において１はガスの通路の開閉を行う遮断弁、２は所定期間毎にタイマ信号を出力するタイマカウント部、３はタイマ信号毎に擬似負荷を駆動させる擬似負荷駆動部、４は擬似負荷の駆動と同時に装置の電池電圧の低下を検出し駆動低下信号を出力する駆動電圧検出部、５は遮断弁１が取り付けられていてガス流量検出部６を有するガスメータ、７は低下信号を受信して報知信号を出力する制御部、８は報知信号により報知装置を作動させる報知部である。
【０００３】
そして、上記ガス遮断装置はタイマカウント部２が擬似負荷駆動部３を電源投入時以降２４時間毎に駆動させて電池電圧の検出を行っていた。
【０００４】
【発明が解決しようとする課題】
しかしながら上記従来の構成では、電池容量が十分有るにもかかわらず擬似負荷駆動部を動作させ電池電圧を検出しているため無駄な電流を消費するという問題を有していた。
【０００５】
本発明は上記問題を解決するために、できるだけ擬似負荷駆動部を動作させずに電池電圧を検出することで消費電流を軽減することを課題とする。
【０００６】
【課題を解決するための手段】
上記課題を解決するために本発明のガス遮断装置は、装置の電源である電池電圧を検出しその電池が所定電圧以下であれば定常電圧低下信号を出力する定常電圧検出手段と、前記定常電圧低下信号により作動するタイマカウント部と、前記タイマカウント部からの所定期間毎のタイマ信号により擬似負荷を駆動させる擬似負荷駆動部と、前記擬似負荷駆動部を駆動すると同時に電池電圧を検出し所定電圧以下であれば駆動電圧低下信号を出力する駆動電圧検出手段と、前記駆動電圧低下信号により報知信号を出力する制御部と、前記報知信号により報知装置を作動させる報知手段とを備えたものである。
【０００７】
そして、本発明のガス遮断装置は、定常電圧検出手段により擬似負荷駆動部を動作させる回数を減らし消費電流を軽減できるものである。
【０００８】
【発明の実施の形態】
前記する課題を解決するために、請求項１記載に係る発明は、装置の電源である電池電圧を検出し、その電池が所定電圧以下であれば定常電圧低下信号を出力する定常電圧検出手段と、前記定常電圧低下信号により作動するタイマカウント部と、前記タイマカウント部からの所定期間毎のタイマ信号により擬似負荷を駆動させる擬似負荷駆動部と、前記擬似負荷駆動部を駆動すると同時に電池電圧を検出し所定電圧以下であれば駆動電圧低下信号を出力する駆動電圧検出手段と、前記駆動電圧低下信号により報知信号を出力する制御部と、前記報知信号により報知装置を作動させる報知手段とを備えたものであり、定常電圧検出手段により擬似負荷駆動部を動作させる回数を減らすことにより電池の消費電流を軽減することができるものである。
【０００９】
また、請求項２記載に係る発明は、請求項１記載に係る発明の定常電圧検出手段に代えてカレンダ部を設けて所定使用日数を経過した後に所定期間毎に電圧チェックを行うようにしたものであり、カレンダ部により所定期間は擬似負荷駆動部を動作させないようにし、電池の消費電流を軽減できるものである。
【００１０】
また、請求項３記載に係る発明は、請求項１記載に係る発明の定常電圧検出手段とタイマカウント部に代えてボンベＳＷ検出部を設けて外部からのボンベ交換信号毎に駆動電圧検出手段を動作させ電圧チェックを行うようにしたものであり、ボンベ交換時のみ擬似負荷駆動部を動作させることにより電池の消費電流を軽減するものである。
【００１１】
また、請求項４記載に係る発明は、請求項１記載に係る発明の定常電圧検出手段とタイマカウント部に代えて検針値受信手段を設け検針値受信手段が受信した検針値要求毎に駆動電圧検出手段を動作させ電池の電圧チェックを行うようにし、月１度の検針値要求時のみ擬似負荷駆動部を動作させ、電池の消費電流を軽減するものである。
【００１２】
以上記載した各請求項記載の発明の作用により、本発明の実施の形態が当業者においては判るものであるが、以下にその具体的な実施例を述べる。
【００１３】
（実施例１）
図１に示す各部において、図５に示す従来例と同一構成部分については同一番号を付し、詳細な説明は省略する。実施例１のガス遮断装置は、図１に示すようにガス遮断装置の電源である電池の電圧を電源投入以降検出し続け、所定電圧以下（例えば初期電圧３Ｖの９０％以下）になれば定常電圧低下信号を出力する定常電圧検出手段としての定常電圧検出部９がある。
【００１４】
この定常電圧低下信号により作動するタイマカウント部２と、前記タイマカウント部２からの所定期間毎（例えば２４時間毎）のタイマ信号により擬似負荷を駆動させる擬似負荷駆動部３がある。
【００１５】
また、タイマ信号により擬似負荷駆動部３を駆動すると同時に電池電圧を検出し所定電圧（例えば擬似負荷が約１０オームであるため２．２Ｖ）以下であれば駆動電圧低下信号を出力する駆動電圧検出手段としての駆動電圧検出部４がある。
【００１６】
これは、電池電圧低下判定が遮断弁１が動作する最低作動電圧を有することであるため電圧検出を行う度に擬似負荷（例えば遮断弁１と同負荷である１０オームの抵抗）を動作させ所定電圧以下であるかを判定するよう規定されている。
【００１７】
このように定常電圧低下の信号が出力されるまでは擬似負荷駆動部３を動作させないようにしてよけいな駆動回数を減らし電池の消費電流を軽減する。
【００１８】
また、駆動電圧低下信号により電池電圧低下であると判断し報知信号を出力する制御部１０がある。報知手段としての報知部８は、前記制御部１０からの報知信号により報知装置（例えばＬＥＤやＬＣＤまた、音声により警報を発する）を作動させる。
【００１９】
（実施例２）
本発明の実施例２について図２を参照して説明する。図２において、図１、図５に示す部分と同一機能を有する構成要素には同一番号を付して詳細な説明を省略する。図２は本発明の実施例２のガス遮断装置を示す制御ブロック図である。
【００２０】
図２において、実施例１の定常電圧検出手段９に代えてカレンダ部１１により所定使用日数（例えば、電源投入以降最初の３年間は毎月一度擬似負荷駆動部３と駆動電圧検出部４を同時に動作させ電圧検出を行う。その後電池電圧低下検出までは５０時間毎に電圧検出を行う。
【００２１】
また、カレンダ機能を有しているため、時間指定も可能となり１日で一番寒い午前６時ごろの電圧検出を行え電池電圧検出精度の向上を図ることも可能となる。）を経過した後に所定期間毎に電圧チェックを行うようにし、電池の消費電流を軽減する。
【００２２】
（実施例３）
本発明の実施例３について図３を参照して説明する。図３において、図１、図５と同一機能を有する構成要素には同一番号を付して詳細な説明を省略する。図３は本発明の実施例３のガス遮断装置を示す制御ブロック図である。
【００２３】
図３において、実施例１の定常電圧検出部９とタイマカウント部２に代えてＬＰ業者がＬＰのガスボンベ交換時にボンベを交換したことを示す為、リードＳＷやタクトＳＷで構成されたボンベＳＷ検出部１２を設け、前記ボンベＳＷ検出部１２に磁石を近づけたりタクトＳＷを押したりしてボンベ交換信号を出力させる。
【００２４】
このボンベ交換信号毎（通常は２、３か月に一度）に擬似負荷を駆動させる擬似負荷駆動部３と、この擬似負荷駆動部３を駆動すると同時に電池の電圧を検出し所定電圧以下であれば駆動電圧低下信号を出力する駆動電圧検出部４により電池電圧の検出回数を減らし、電池の消費電流を軽減する。
【００２５】
また、駆動電圧低下信号を受信した制御部１０は報知信号を出力し、ボンベＳＷが作動したと同時にＬＥＤやＬＣＤまたは音声などの報知手段により電池電圧低下を警告することで電池電圧低下の発見を早期に行うことができる。
【００２６】
（実施例４）
本発明の実施例４について図４を参照して説明する。図４において、図１、図５と同一機能を有する構成要素には同一番号を付して詳細な説明を省略する。図４は本発明の実施例４のガス遮断装置を示す制御ブロック図である。
【００２７】
図４において、実施例１の定常電圧検出部９とタイマカウント部２に代えてＬＰ業者が月に１度使用したガス料金を徴収するためガスメータより無線や有線（例えば検針員が現地に行きハンディーターミナル等により読み出したり電話回線を通じてＬＰ業者が読み出す。）により検針値を読み出す。
【００２８】
このとき検針値受信手段１３が受信した検針値要求毎に駆動電圧検出部４を動作させ電圧チェックを行うことにより電池電圧の検出回数を減らし、電池の消費電流を軽減する。
【００２９】
【発明の効果】
以上のように本発明の請求項１によるガス遮断装置では、定常電圧検出手段により擬似負荷駆動部を動作させる回数を減らし装置の消費電流を軽減し装置の寿命を延ばす効果がある。
【００３０】
更に本発明の請求項２によるガス遮断装置では、カレンダ機能による時刻指定により一日の一番気温の低いときに電圧検出を行うため電池電圧低下判定の精度を向上させるという効果がある。
【００３１】
また本発明の請求項３によるガス遮断装置では、ＬＰ業者が行うボンベ交換時のみ電圧検出を行うため装置の消費電流を軽減し装置の寿命を延ばす効果がある。
【００３２】
また本発明の請求項４によるガス遮断装置では、ＬＰ業者が行う検針値要求時のみ電圧検出を行うため装置の消費電流を軽減し装置の寿命を延ばす効果がある。
【図面の簡単な説明】
【図１】本発明の実施例１のガス遮断装置を示す制御ブロック図
【図２】同実施例２のガス遮断装置を示す制御ブロック図
【図３】同実施例３のガス遮断装置を示す制御ブロック図
【図４】同実施例４のガス遮断装置を示す制御ブロック図
【図５】従来のガス遮断装置の制御ブロック図
【符号の説明】
１  遮断弁
２  タイマカウント部
３  擬似負荷駆動部
４  駆動電圧検出部（駆動電圧検出手段）
５  ガスメータ
６  ガス流量検出部（ガス流量検出手段）
７、１０  制御部
８  報知部（報知手段）
９  定常電圧検出部（定常電圧検出手段）
１１  カレンダ部
１２  ボンベＳＷ検出部
１３  検針値受信部
【図１】
0003684659.tif 000002
【図２】
0003684659.tif 000003
【図３】
0003684659.tif 000004
【図４】
0003684659.tif 000005
【図５】
0003684659.tif 000006